(57)【要約】【課題】  ＮＦＣにおいて他の装置との近接の前に所望とする通信モードを選択することを目的とする。【解決手段】  ＮＦＣ機能の他に無線ＬＡＮ通信機能を備えた第１の無線通信端末が、接続を希望する第２の無線通信端末に対して無線ＬＡＮ通信のスキャン機能を用いて、ＮＦＣに関する情報を解析し、自身のＮＦＣにおける通信モードを選択する。【選択図】図４
2013179582.tif 000002
【特許請求の範囲】
【請求項１】
第１の無線通信方式により通信を行う第１の通信手段と前記第１の無線通信方式より通信可能な範囲が広い第２の無線通信方式により通信を行う第２の通信手段を有する通信装置であって、
前記第２の通信手段による他の装置との通信に基づいて、前記他の装置が第１の無線通信方式において対応している通信モードを判定する判定手段と、
前記判定手段による判定に応じて、前記前記第１の通信手段の通信モードを選択する選択手段と、
前記第１の通信手段により、前記選択手段により選択したモードにおいて、前記他の装置と通信することを特徴とする通信装置。
【請求項２】
前記判定手段は、前記第２の通信手段による他の装置との通信により、前記他の装置が他の通信装置から電力を供給されて通信を行うパッシブモードか自装置の電力を使用して通信するアクティブモードかを判定し、
前記選択手段は、前記他の装置が前記パッシブモードであると判定された場合に、前記第１の通信手段のモードを前記アクティブモードに選択することを特徴とする請求項１に記載の通信装置。
【請求項３】
前記判定手段は、前記第２の通信手段による他の装置との通信により、当該他の装置が別の装置からのメモリアクセスを受付けるカードエミュレーションモード、別の装置のメモリに読み書きを行うリーダー／ライターモード、別の装置との間で双方通信を行う端末間通信モードの何れに対応しているかを判定し、
前記選択手段は、前記他の装置が対応する通信モードに応じた前記第１の通信手段の通信機能を選択することを特徴とする請求項１または２に記載の通信装置。
【請求項４】
前記第１の通信手段は、前記第１の通信手段を利用するアプリケーションの起動に応じて、前記パッシブモードにおいて動作することを特徴とする請求項２に記載の通信装置。
【請求項５】
前記第２の通信手段による他の装置との通信に基づいて、当該他の装置が前記第１の無線通信方式による通信を行えるかを判定する第２の判定手段と、
前記第２の判定手段により当該他の装置が前記第１の無線通信方式のよる通信を行えないと判定した場合に前記第１の通信手段による動作を停止する停止手段とを有することを特徴とする請求項４に記載の通信装置。
【請求項６】
前記第２の通信手段による通信に基づいて、複数の他の装置が検出された場合、
前記選択手段は、前記第２の通信方式において複数の他の装置から送信された各々の受信信号の電界強度に応じて特定した他の装置との通信に基づいて、前記第１の通信手段のモードを選択することを特徴とする請求項１乃至５何れか１項に記載の通信装置。
【請求項７】
前記第２の通信手段による通信に基づいて、複数の他の装置が検出された場合、
前記選択手段は、複数の他の装置各々の識別子に応じて特定した他の装置との通信に基づいて、前記第１の通信手段のモードを選択することを特徴とする請求項１乃至６何れか１項に記載の通信装置。
【請求項８】
前記第２の通信手段による通信に基づいて、複数の他の装置が検出された場合、
前記選択手段は、複数の他の装置の少なくとも１台が前記パッシブモードである場合に
前記アクティブモードを選択することを特徴とする請求項２に記載の通信装置
【請求項９】
前記第１の無線通信方式がＮＦＣ（Ｎｅａｒ  Ｆｉｌｅｄ  Ｃｏｍｍｕｎｉｃａｔｉｏｎ）であり、前記第２の無線通信方式がＩＥＥＥ８０２．１１に準拠した無線ＬＡＮ通信方式であることを特徴とする請求項１乃至８何れか１項に記載の通信装置。
【請求項１０】
前記選択手段は、前記第２の通信手段により受信した他の装置から送信されたメッセージに含まれるネットワークの識別子に基づいて、前記第１の通信手段のモードを選択することを特徴とする請求項１乃至９何れか１項に記載の通信装置。
【請求項１１】
前記判定手段は、前記第２の通信手段による他の装置との通信により、当該他の装置の通信規格が、ＩＳＯ  １８０９２、ＩＳＯ  １４４４３  ＴｙｐｅＡ／ＴｙｐｅＢ、Ｆｅｌｉｃａ規格、の何れに対応しているかを判定し、
前記選択手段は、前記他の装置が対応する通信規格に応じた前記第１の通信手段の通信規格を選択することを特徴とする請求項１乃至１０何れか１項に記載の通信装置。
【請求項１２】
前記判定手段は、前記第２の通信手段による他の装置との通信により、当該他の装置の通信サービスが、ＴＡＳＰＯ、Ｓｕｉｃａ、ＰＡＳＭＯ、Ｅｄｙ、ＷＡＯＮ、その他のＩＣカードサービスの何れに対応しているかを判定し、
前記選択手段は、前記他の装置が対応する通信サービスに応じた前記第１の通信手段の通信サービスを選択することを特徴とする請求項１乃至１１の何れか１項に記載の通信装置。
【請求項１３】
第１の無線通信方式により通信を行う第１の通信手段と前記第１の無線通信方式より通信可能な範囲が広い第２の無線通信方式により通信を行う第２の通信手段を有する通信装置の制御方法であって、
前記第２の通信手段による他の装置との通信に基づいて、前記他の装置が第１の無線通信方式において対応している通信モードを判定する判定工程と、
前記判定工程による判定に応じて、前記前記第１の通信手段の通信モードを選択する選択工程と、
前記選択工程により選択したモードにおいて、前記第１の通信手段が前記他の装置と通信することを特徴とする通信装置の制御方法。
【請求項１４】
請求項１３に記載の制御方法を情報処理装置に実行させるためのプログラム。
【発明の詳細な説明】
【技術分野】
【０００１】
本発明は、複数の無線通信方式を備える通信装置に関する。
【背景技術】
【０００２】
近年、非接触ＩＣカードの利用が増加している。このＩＣカードの規格は国内外において複数の方式が存在しており、国際的な通信互換性を提供することを目的とした標準化団体において近接無線通信技術に関する通信規格が策定されている。この規格は、ＮＦＣ（Ｎｅａｒ  Ｆｉｌｅｄ  Ｃｏｍｍｕｎｉｃａｔｉｏｎ）と称される。ＮＦＣでは機器同士の通信機能として（１）ＩＣカードとして利用できるカードエミュレーション機能（ＣＥ）、（２）ＩＣカードの読み書きができるリーダー／ライター機能（Ｒ＆Ｗ）、ＮＦＣ対応の機器同士双方向通信を行う端末間通信機能（Ｐ２Ｐ）の３つのモードが規定されている。携帯電話等のデバイスでは、上記のＮＦＣの通信規格を利用するためにそれぞれの機能に対応したアプリケーションソフトをダウンロードしたり予めインストールされているソフトウェアを用いていたりして、所望のサービスを実行する。
【０００３】
また、ＮＦＣではＮＦＣインターフェースの動作を自機内からの電力供給で動作するモード（アクティブモード）と他装置から供給される電力（誘導起電力）で動作するモード（パッシブモード）とが規定されている。また、ＮＦＣリンクの生成時においては、Ｐｏｌｌ  Ｄｅｖｉｃｅ側が問い合せを実施することにより、Ｌｉｓｔｅｎ  Ｄｅｖｉｃｅ側のサポートプロトコル、サービスの情報を入手する手法が規定されている。
【０００４】
このＮＦＣにおける動作モードであるＬｉｓｔｅｎ  Ｄｅｖｉｃｅは通常、パッシブモードで動作し、Ｐｏｌｌ  Ｄｅｖｉｃｅは、アクティブモードで動作する。
【０００５】
このように、アクティブモードで動作する通信端末は、パッシブモードで動作する通信相手に電力を供給したり、接続を管理するポーリング動作を実施したりするためパッシブモードに比べて消費電力が大きい。
【０００６】
このようなＮＦＣを利用する技術として、機器間で容量の大きい動画像データを送受信する際に、ペアリングだけをＮＦＣで行い実際のデータ通信にはより高速なＢｌｕｅｔｏｏｔｈ（登録商標）や無線ＬＡＮを使用する技術が規格化されている（非特許文献１）。上記のようなＮＦＣと複数の無線通信機能を備えた通信機器は、機器同士を密着させることで高速データ通信に必要な無線設定パラメータ等をＮＦＣで簡単に双方の機器に設定する事が出来る。
【０００７】
例えば、特許文献１、２では、通信距離の異なる複数の無線通信機能を備え、接続先の通信端末が参加中のネットワークに関する情報をＮＦＣで送受信する。特許文献１、２は、通信端末が参加中のインフラストラクチャモードまたはアドホックモードの何れかのネットワークに関する無線接続情報をＮＦＣで他の通信端末に送信し、他の通信端末が受信した無線接続情報を用いて通信装置が参加している無線ＬＡＮネットワークへハンドオーバーする。
【先行技術文献】
【特許文献】
【０００８】
【特許文献１】特開２０１１−１８２４４９号公報
【特許文献２】特開２０１０−２４５７４８号公報
【非特許文献】
【０００９】
【非特許文献１】ｈｔｔｐ：／／ｗｗｗ．ｎｆｃ−ｆｏｒｕｍ．ｏｒｇ
【発明の概要】
【発明が解決しようとする課題】
【００１０】
ＮＦＣで通信を行う際にアクティブモードとパッシブモードとが規定されているが自装置も相手装置もパッシブモードであると通信ができないという問題がある。
【００１１】
また、ＮＦＣを利用したアプリケーションを実行したいけれども相手装置が該アプリケーションを実行する上で必要な通信機能に対応しているかは機器同士が近接する前では把握できなかった。したがって、機器同士を近接したにも関わらず所望のアプリケーションを実行できない恐れがあった。
【００１２】
本願発明は上述の問題に鑑み、機器同士を近接させる前に所望のモードで動作するよう制御することを目的とする。
【課題を解決するための手段】
【００１３】
本願発明は、上述の課題を解決するための手段として、第１の無線通信方式により通信を行う第１の通信手段と前記第１の無線通信方式より通信可能な範囲が広い第２の無線通信方式により通信を行う第２の通信手段を有する通信装置であって、前記第２の通信手段による他の装置との通信に基づいて、前記他の装置が第１の無線通信方式において対応している通信モードを判定する判定手段と、前記判定手段による判定に応じて、前記前記第１の通信手段の通信モードを選択する選択手段と、前記第１の通信手段により、前記選択手段により選択したモードにおいて、前記他の装置と通信することを特徴とする通信装置を提供することにある。
【発明の効果】
【００１４】
本発明によれば、機器同士を近接させる前に所望のモードで動作するよう制御することができる。
【図面の簡単な説明】
【００１５】
【図１】本発明の実施例におけるネットワークのシステム構成図である。
【図２】実施例における装置のブロック図である。
【図３】実施例における装置に機能構成図である。
【図４】実施例１における処理のシーケンスチャートである。
【図５】実施例１におけるカメラのフローチャートである。
【図６】実施例１における携帯電話のフローチャートである。
【図７】実施例１におけるネットワークのシステム構成図である。
【図８】実施例２におけるネットワークのシステム構成図である。
【図９】実施例２における処理のシーケンスチャートである。
【図１０】実施例２におけるテレビのフローチャート
【図１１】実施例２における携帯電話のフローチャート
【図１２】実施例２におけるシステム構成図である。
【図１３】実施例におけるＷｉ−Ｆｉデータフレームフォーマットの構成図である。
【発明を実施するための形態】
【００１６】
（実施例１）
（システム構成）
図１は、本実施形態に係る無線通信システムのネットワーク構成図である。図１において、１０１は携帯電話であり、近距離無線通信方式と近距離無線通信方式より通信可能な範囲が広い所定の通信方式よって無線通信回線を構築し、通信を行うことができる無線通信装置を備える。１０２はカメラであり、近距離無線通信方式と近距離無線通信方式より通信可能な範囲が広い所定の通信方式によって無線通信回線を構築し、通信を行うことができる無線通信装置を備える。
【００１７】
本実施形態においては、携帯電話１０１と、カメラ１０２との間には、近距離無線通信である第１の通信リンクが構築される以前に第２の通信リンクが構築される。なお、本実施形態において、第２の通信リンクで用いられる通信方式はＩＥＥＥ８０２．１１に準拠した無線ＬＡＮ通信方式であり、図１では無線ＬＡＮの機器同士を直接接続するアドホックネットワークを用いたネットワーク構成を説明している。なお、携帯電話１０１とカメラ１０２との間で用いる通信方式は、無線ＬＡＮではないＢｌｕｅｔｏｏｔｈ（登録商標）等の他の無線通信方式であってもよい。
【００１８】
（装置構成）
図２は、本実施形態に係る携帯電話１０１およびカメラ１０２のハードウェア構成を示すブロック図である。なお、本実施例とは無関係な装置固有の機能部（例えば、携帯電話１０１の携帯電話機能、カメラ１０２の撮像機能）に関する構成については、省略している。図２において、２０１は無線ＬＡＮアンテナ、２０２は無線ＬＡＮアンテナ２０１を介して無線信号の送受信を行う無線ＬＡＮ通信部、２０３は不揮発メモリ部（ＲＯＭ）である。２０４は揮発メモリ部（ＲＡＭ）であり制御部２０５のワークメモリである。２０５は制御部であり、不揮発メモリ部２０３に記憶されているプログラムに基づき、後述する各機能構成や処理を各ハードウェアを制御することにより実現する。２０６は表示制御部であり、エラーメッセージやユーザーへの操作を促す通知メッセージを表示する液晶表示部２１０に表示する情報を制御する。２０７は機器制御のための情報入力および操作等を行うキー入力部である。２０８はＮＦＣアンテナ、２０９はＮＦＣアンテナ２０９を介して近接無線信号の送受信を行うＮＦＣ通信部である。
【００１９】
（装置のソフトウェア構成）
カメラ１０２と携帯電話１０１のソフトウェア構成について、図３を参照して説明する。
【００２０】
本実施形態では、カメラ１０２は、携帯電話１０１との間に直接通信の無線リンクを構築し、アプリケーションレイヤにおいては動画像データ等を送受信する機能を備える。携帯電話１０１は、画像データの受信アプリケーションとサーバー機能、および画像データの送信アプリケーションとクライアント機能を備え、相手通信装置に応じて前記サーバーとクライアントの機能を切り替える。
【００２１】
また、本実施形態では、アプリケーションレイヤのデータ送信機能とデータ受信機能とクライアント制御部ならびにサーバー制御部を実現するためのプログラムは、ＲＯＭ２０３に格納されている。
【００２２】
３０１および３１１は無線ＬＡＮ制御部でありＩＥＥＥ８０２．１１準拠（ＷＬＡＮプロトコル）のデータパケット等を取り扱う。ＴＣＰ／ＩＰ処理部（３０２、３１２）はＴＣＰ／ＩＰの通信プロトコルによる処理を行う。ＴＣＰ／ＩＰ処理部（３０２、３１２）は、クライアント制御部３０３およびサーバー制御部３１３のそれぞれのデータパケットを取扱う。３０３はクライアント制御部であり、ＴＣＰ／ＩＰ処理部３０２で使用する通信リンクと通信アプリ部３０４で使用する送信データの整合を制御する。３１３はサーバー制御部であり、ＴＣＰ／ＩＰ処理部３０２で使用する通信リンクと通信アプリ部３１４で使用する受信データの整合を制御する機能を備え、携帯電話１０１とテレビ１０３に実装される。３０４は通信機能を制御する通信アプリ部であり、動画像データの送信サービスの起動を行うデータ送信機能を備える。３１４は通信機能を制御する通信アプリ部であり、動画像データを受信するデータ受信機能を備える。３０５および３１５はＮＦＣ制御部であり、Ｆｅｌｉｃａ，ＩＳＯ／ＩＥＣ  １４４４３（ＭＩＦＡＲＥ）、ＩＳＯ／ＩＥＣ１８０９２に準拠（ＮＦＣプロトコル）のデータパケット等を取り扱う。
【００２３】
（Ｗｉ−Ｆｉフレームフォーマット）
図１３は、本実施形態に係る携帯電話１０１およびカメラ１０２間で送受信されるＷｉ−Ｆｉデータのマネージメントフレームフォーマット（１３０１）を説明したメッセージ構成図である。図１３において、フレームデータ１３１１は、ビーコン・フレームフォーマット１３０２、プローブ応答フレームフォーマット１３０３、およびプローブ要求フレームフォーマット１３０４を示す。また、ＳＳＩＤ（１３１２）は、ビーコン・フレーム１３０２に含まれるＳＳＩＤ情報要素のフレーム１３１０を示したものであり、特に、ＳＳＩＤ（１３１２）は、グループ識別子に関する情報を設定するエリアである。Ｅｌｅｍｅｎｔ  ＩＤ（１３１３）は、情報要素識別子を示し、Ｌｅｎｇｔｈ（１３１４）は、最大３２バイトのＳＳＩＤ（１３１５）領域に設定されるＳＳＩＤデータの長さを表す。
ＳＳＩＤ（１３１６）は、プローブ応答フレーム１３０３に含まれるＳＳＩＤ情報要素のフレーム１３１０を示したものであり、ＳＳＩＤ（１３１７）は、プローブ要求フレーム１３０４に含まれるＳＳＩＤ情報要素のフレーム１３１０を示したものである。
【００２４】
（システムおよび装置の動作）
以上の構成を有する通信システム、携帯電話１０１、カメラ１０２の動作について図を参照して説明する。図４は本実施形態に係る通信ネットワークを構成する携帯電話１０１、カメラ１０２のメッセージの送受信処理を説明したシーケンスチャートである。図５は、本実施形態に係る携帯電話１０１の処理フローチャートである。図６は、本実施形態に係るカメラ１０２の処理フローチャートである。また図７は、に係る無線通信システムの動作実施後のネットワーク構成図である。本実施形態では携帯電話１０１とカメラ１０２間で近接無線通信によりＷＬＡＮ通信に用いるパラメータを共有しＷＬＡＮ通信により画像を送受信する処理を例にして説明を行う。なお、携帯電話１０１およびカメラ１０２は、消費電力を低減させるため、ＮＦＣ通信部２０８の起動時はパッシブモードで動作する。
【００２５】
カメラ１０２は、データ転送を希望するユーザーのキー入力部２０７の操作の検出に応じて通信アプリ部３０４を起動するとともにＮＦＣ制御部３０５によりＮＦＣ通信を開始可能に起動する（Ｓ６０１：ＹＥＳ）。通信アプリ部３０４は、データ通信の要請がなされた事をクライアント制御部３０３に通知し、クライアント制御部３０３は、ＴＣＰ／ＩＰ処理部３０２を介して無線ＬＡＮ制御部３０１にプローブ要求フレーム１３０４を送信するように制御する（Ｓ６０２）。無線ＬＡＮ制御部３０１は、ＳＳＩＤ情報要素１３１７にＮＦＣに関する情報を要求するための文字列である“ＮＦＣ”をコーディング（設定）したプローブ要求フレーム１３０４をブロードキャストでメッセージ（Ｍ４０１）送信する。（Ｓ６０２）
【００２６】
カメラ１０２から送信されたプローブ要求メッセージ（Ｍ４０１）は携帯電話１０１の無線ＬＡＮ制御部３１１で受信されると、ＴＣＰ／ＩＰ処理部３１２を介してサーバー制御部３１３に通知される。サーバー制御部３１３でプローブ要求である事が検出されると（Ｓ５０１：ＹＥＳ）、次にＳＳＩＤを解析する。そして、ＮＦＣに関する情報を要求するための文字列“ＮＦＣ”とコーディングされている事を検出すると（Ｓ５０２：ＹＥＳ）、ＲＡＭ２０４に記憶されている自装置のＮＦＣに関する情報であるＮＦＣ情報を読みだす（Ｓ５０３）。
【００２７】
サーバー制御部３１３は、読みだしたＮＦＣ関連情報をカメラ１０２に返信するために、ＴＣＰ／ＩＰ処理部３１２を介して無線ＬＡＮ制御部３１１にプローブ応答フレーム１３０３を送信するように要請する。無線ＬＡＮ制御部３１１は、ＳＳＩＤ情報要素１３１６に読み出した“ＮＦＣ関連情報”を設定したプローブ応答フレーム１３０３をカメラ１０２に対してメッセージ（Ｍ４０２）送信処理を起動する（Ｓ５０４）。そして、ＮＦＣの確立タイマーを起動する（Ｓ５０５）。この時の“ＮＦＣ関連情報”は、例えば、“Ｐ２Ｐ  Ｐａｓｓｉｖｅ”というようにＮＦＣにおいて対応可能な通信機能と設定されている通信モードとが識別可能な情報が含まれている。なお、“Ｐ２Ｐ”とは、端末間通信機能を実行可能であることを表しており、他にも“ＣＥ”はカードエミュレーション機能、“Ｒ＆Ｗ”はリーダー／ライター機能が対応可能であることを示す情報とする。
【００２８】
携帯電話１０１から返信されたプローブ応答メッセージ（Ｍ４０２）はカメラ１０２の無線ＬＡＮ制御部３０１で受信されると、ＴＣＰ／ＩＰ処理部３０２を介してクライアント制御部３０３に通知される。クライアント制御部３０３でプローブ応答である事が検出されると（Ｓ６０３：ＹＥＳ）、ＳＳＩＤ１３１６を解析し、応答信号を送信した装置が対応可能な通信機能と設定されている通信モードとを識別する。ここでは、ＳＳＩＤには“Ｐ２Ｐ  Ｐａｓｓｉｖｅ”の文字列が記載されており、カメラ１０２は携帯電話１０１が端末間通信機能に対応してパッシブモードで動作していることを認識する。そして、カメラ１０２のクライアント制御部３０３は、取得した相手装置のＮＦＣ関連情報に基づいて、自装置に設定されているＮＦＣに関するモードや設定が所望とするサービスを実行する上で適切かを判定する。そして、実行するサービスを行う上で自装置に設定されているモードや機能に変更が必要な場合は変更を行う。カメラ１０２のＮＦＣ通信部２０８に現在設定されている通信モードはパッシブモードである。即ち、相手装置もパッシブモードであり通信を行えないため自装置のモードを変更することを決定する。
【００２９】
クライアント制御部３０３は、ＮＦＣ通信部２０８に設定されている通信モードをパッシブモードからアクティブモードに変更するためにＮＦＣ情報を含む接続要求メッセージ（Ｍ４０３）をＮＦＣ制御部３０５に送信する。ＮＦＣ制御部３０５は、ＮＦＣ通信部２０８の通信モードをパッシブモードからアクティブモードに変更する（Ｓ６０４）。カメラ１０２のクライアント制御部３０３は、ＮＦＣの確立タイマーを起動（Ｓ６０５）し、液晶表示部２１０を用いてカメラ１０２のＮＦＣがレディー状態である事をユーザーに通知する。次にユーザーは、携帯電話１０１との間でデータ伝送処理を実施するネットワークを構築するため、携帯電話１０１のＮＦＣアンテナ２０９とカメラ１０２のＮＦＣアンテナ２０９を数センチメートルの距離に近接させる。
【００３０】
この時、カメラ１０２のＮＦＣ通信部２０８が、アクティブモードであることから、接続要求メッセージであるＮＦＣポーリングメッセージ（Ｍ４０４）を携帯電話１０１のＮＦＣ通信部２０８に送信する。
【００３１】
次に携帯電話１０１のＮＦＣ通信部２０８は、タイムアウト以前に（Ｓ５０６：ＮＯ）、ＮＦＣポーリングメッセージ（Ｍ４０４）を受信すると、ＮＦＣ応答メッセージ（Ｍ４０５）をカメラ１０２のＮＦＣ通信部２０８に返信する。また、携帯電話１０１のＮＦＣ通信部２０８は、ＮＦＣの接続検出をＮＦＣアンテナ２０９とＮＦＣ制御部３１５を介してサーバー制御部３１３に通知し、（Ｓ５０７：ＹＥＳ）ＮＦＣ中状態（Ｓ５０８）へ遷移する。
【００３２】
カメラ１０２のＮＦＣ通信部２０８は、タイムアウト以前に（Ｓ６０６：ＮＯ）、ＮＦＣポーリング応答メッセージ（Ｍ４０５）を受信すると、接続応答メッセージ（Ｍ４０６）をクライアント制御部３０３に通知する（Ｓ６０７：ＹＥＳ）。カメラ１０２のクライアント制御部３０３は、接続応答メッセージ（Ｍ４０６）を受信してＮＦＣの確立を確認した後、無線パラメータ情報要求メッセージ（Ｍ４０７）をＮＦＣを用いて携帯電話１０１に送信する（Ｓ６０８）。
【００３３】
携帯電話１０１のＮＦＣ制御部３１５では、ＮＦＣによりＷＬＡＮパラメータ要求メッセージ（Ｍ４０８）を受信すると、サーバー制御部３１３に対して、ＷＬＡＮパラメータ要求メッセージ（Ｍ４０９）を送信する。携帯電話１０１のサーバー制御部３１３は、ＷＬＡＮパラメータ要求メッセージ（Ｍ４０９）を受信すると（Ｓ５０９：ＹＥＳ）、情報の記憶エリアであるＲＡＭ２０４に格納されているＷＬＡＮパラメータ情報を読みだす。
【００３４】
次に、携帯電話１０１のサーバー制御部３１３は、読みだしたＷＬＡＮパラメータ情報をカメラ１０２に返信するために、ＷＬＡＮパラメータ応答メッセージ（Ｍ４１０）を生成して、ＮＦＣ制御部３１５に送信する（Ｓ５１０）。携帯電話１０１のサーバー制御部３１３は、無線ＬＡＮの通信確立タイマーを起動し（Ｓ５１１）、無線ＬＡＮの認証アソシエーション処理（Ｍ４１３）を起動する。（Ｓ５１２）携帯電話１０１のＮＦＣ制御部３１５は、ＮＦＣを用いてカメラ１０２に対してＷＬＡＮパラメータ応答メッセージ（Ｍ４１１）を送信する。
【００３５】
カメラ１０２のＮＦＣ制御部３０５は、ＷＬＡＮパラメータ応答メッセージ（Ｍ４１１）を受信すると、クライアント制御部３０３にＷＬＡＮパラメータ応答メッセージ（Ｍ４１２）を送信する。カメラ１０２のクライアント制御部３０３は、ＷＬＡＮパラメータ応答メッセージ（Ｍ４１２）を受信すると（Ｓ６０９：ＹＥＳ）、情報の記憶エリアであるＲＡＭ２０４にＷＬＡＮパラメータ情報を格納する。次に、カメラ１０２のクライアント制御部３０３は、携帯電話１０１から受信したＷＬＡＮパラメータ情報を無線ＬＡＮ制御部３０１に設定する。（Ｓ６１０）この後、カメラ１０２のクライアント制御部３０３は、無線ＬＡＮの通信確立タイマーを起動し（Ｓ６１１）、無線ＬＡＮ制御部３０１を介して無線ＬＡＮ通信部２０２に認証／アソシエーション処理（Ｍ４１３）の起動を指示する。（Ｓ６１２）カメラ１０２の無線ＬＡＮ通信部２０２は、通信確立タイマーの満了以前に（Ｓ６１３：ＮＯ）携帯電話１０１との間で無線ＬＡＮの認証／アソシエーション処理（Ｍ４１３）の完了を確認する。
【００３６】
カメラ１０２の無線ＬＡＮ通信部２０２は、携帯電話１０１との間で無線ＬＡＮの認証／アソシエーション処理の確立が確認されると、無線ＬＡＮ制御部３０１を介してクライアント制御部３０３に通知する。カメラ１０２のクライアント制御部３０３は、携帯電話１０１との間で無線ＬＡＮの認証／アソシエーション処理（Ｍ４１３）の完了を確認すると（Ｓ６１４：ＹＥＳ）通信中状態に遷移する。カメラ１０２のクライアント制御部３０３は、通信アプリ部３０４に対して携帯電話１０１に対する画像データの送信処理（Ｍ４１４）を要請する。
【００３７】
また、携帯電話１０１の無線ＬＡＮ通信部２０２は、通信確立タイマーの満了以前に（Ｓ５１３：ＮＯ）カメラ１０２との間で無線ＬＡＮの認証／アソシエーション処理（Ｍ４１３）の完了を確認する。携帯電話１０１の無線ＬＡＮ通信部２０２は、カメラ１０２との間で無線ＬＡＮの認証／アソシエーション処理（Ｍ４１３）が完了すると、無線ＬＡＮ制御部３１１を介してサーバー制御部３１３に通知する。携帯電話１０１のサーバー制御部３１３は、携帯電話１０１との間で無線ＬＡＮの認証／アソシエーション処理（Ｍ４１３）の完了を確認すると（Ｓ５１４：ＹＥＳ）通信中状態に遷移する。携帯電話１０１のサーバー制御部３１３は、通信アプリ部３１４に対してカメラ１０２からの送信される画像データの受信処理（Ｍ４１４）を要請する。
【００３８】
以上、説明のように動作することで、予め相手デバイスのＮＦＣに関する通信機能や動作モードが、ＮＦＣのリンク確立前に判明するため、適切な動作モード等が選択することができる。また、近接無線通信より通信可能な範囲が広いＷＬＡＮ通信方式において予め利用可能なＮＦＣの通信機能が判るため、自動的に該当するアプリケーションを起動することが可能となり、ユーザー操作が簡易になる。
【００３９】
なお、ＳＳＩＤ情報要素にＮＦＣに関する情報要求する情報及びＮＦＣに関する情報「文字列データ」を使用してコーディングするように説明しているが、コーディングされる識別情報は「数値データ」を使用してコーディングしてもよい。
【００４０】
また、カメラ１０２のクライアント制御部３０３でプローブ応答メッセージの検出後（Ｓ６０３：ＹＥＳ）、ＳＳＩＤ１３１６を解析した際に、自身のＮＦＣをパッシブモードからアクティブモードに変更するようにした。これは、相手通信装置である携帯電話１０１のＮＦＣがアクティブモードと判断された場合、自身のパッシブモードを変更せず継続するように構成してもよい。
【００４１】
なお、無線ＬＡＮ通信により取得した相手装置のＮＦＣ情報として含まれる対応可能な通信機能に基づいて、自装置の機能を選択するように構成してよい。例えば、別の装置からのメモリアクセスを受付けるカードエミュレーションモード、別の装置のメモリに読み書きを行うリーダー／ライターモード、別の装置との間で双方通信を行う端末間通信モードの何れに対応しているかを判定する構成として良い。そして、例えば、相手装置がＩＣカードとして利用できるカードエミュレーション機能（ＣＥ）のみに対応していれば、自装置は、ＩＣカードの読み書きができるリーダー／ライター機能（Ｒ＆Ｗ）を選択して通信を行うようにする。
【００４２】
（実施例２）
実施例１では無線ＬＡＮ通信のプロ―プ要求（探索要求）メッセージとその応答信号であるプローブ応答によりＮＦＣに関する情報を含めて通信し、ＮＦＣに関するモードを選択する例について説明した。実施例２は、無線ＬＡＮ通信によりＮＦＣに関する情報を報知し、その情報を受信した他の装置がＮＦＣに関するモード（サービス）を自動で選択する例を示す。実施例１と共通の部分を含むものであり、その特徴を示す無線通信装置の制御手順について、図２、図３、図８〜図１２、図１３を参照して実施例１と異なる部分のみ説明する。図８は、第２の実施例に係る無線通信システムのネットワーク構成図である。１０３はテレビであり、近距離無線通信方式と近距離無線通信方式より通信可能な範囲が広い所定の通信方式よって無線通信回線を構築し、通信を行うことができる無線通信装置を備える。なお、テレビ１０３の構成は図２および図３と同様であり、説明は省力する。
【００４３】
また、以下の説明では、テレビを例にとって説明しているが、これに限られない。例えば、テレビに代えてデータ伝送機能を備えた据置型のプリンタであってもよく、他にも、通信によりデータの送受信をする装置で出力機能を備えた装置の主な用途が何であってもよい。なお、本実施例での近接無線通信以外の通信方式は無線ＬＡＮであり、本実施例において、無線ＬＡＮのインフラストラクチャモードを用いたネットワーク構成を説明している。また、ここで、テレビ１０３と携帯電話１０１との間で用いる通信方式は、無線ＬＡＮではないＢｌｕｅｔｏｏｔｈ（登録商標）等の他の無線通信方式であってもよい。
【００４４】
図８にシステムにおける本実施例に係る動作を図を参照して説明する。図９は、第２の実施例に係る通信ネットワークを構成する携帯電話１０１、テレビ１０３のメッセージの送受信処理を説明したシーケンスチャートである。図１０は、本実施例に係るテレビ１０３の処理フローチャートである。また、図１１は、本実施例に係る携帯電話１０１の処理フローチャートである。また図１２は、第２の実施例に係る無線通信システムの動作実施後のネットワーク構成図である。本実施形態では携帯電話１０１とテレビ１０３間で近接無線通信によりＷＬＡＮ通信に用いるパラメータを共有しＷＬＡＮ通信により動画データを送受信する処理を例にして説明を行う。
【００４５】
テレビ１０３の通信アプリ部３０４は、起動時に無線ＬＡＮの機器動作モードについてチェックを実施し、アクセスポイントモードの場合（Ｓ１００１：ＹＥＳ）、情報の記憶エリアであるＲＡＭ２０４のＮＦＣ関連情報を読みだす。（Ｓ１００２）また、テレビ１０３は、起動時の無線ＬＡＮに関する機器動作モードを確認し、アクセスポイントモードでは無い（アドホックネットワークの）場合（Ｓ１００１：ＮＯ）の動作については、第１の実施例と同様であるため説明は省略する。
【００４６】
次に、サーバー制御部３１３は、読みだしたＮＦＣ関連情報をビーコン信号に含めてネットワーク内に報知するために、ＴＣＰ／ＩＰ処理部３１２を介して無線ＬＡＮ制御部３１１にビーコン・フレーム１３０２を送信するように要請する。無線ＬＡＮ制御部３１１は、ＳＳＩＤ情報要素１３１２に“ＮＦＣ関連情報”を設定したビーコン・フレーム１３０２をブロードキャストでメッセージ（Ｍ９０１）を報知する（Ｓ１００３）。
【００４７】
この時の“ＮＦＣ関連情報”は、例えば、“Ｐ２Ｐ  Ｐｏｌｌ  Ｄｖｉｃｅ（ａｃｔｉｖｅ  ｍｏｄｅ）”というようにＮＦＣの通信機能とＮＦＣの動作モードが文字列として含まれている。ＮＦＣ接続処理（Ｓ５０７〜）以降の動作については、第１の実施例と同様であるため説明は省略する。
【００４８】
一方、動画データを送信する携帯電話１０１では、データ転送を希望するユーザーのキー入力部２０７の操作の検出に応じて通信アプリ部３０４を起動するとともにＮＦＣ制御部３０５によりＮＦＣを開始する。携帯電話１０１の通信アプリ部３０４は、無線ＬＡＮ通信のネットワーク検出手段を確認し、パッシブ・スキャンの場合（Ｓ１１０１：ＹＥＳ）、無線ＬＡＮ制御部３０１にビーコン・フレーム１３０２を受信するように要請する。パッシブ・スキャンで無い場合（Ｓ１１０１：ＮＯ）、の動作（Ｓ６０２〜Ｓ６０８）については、第１の実施例と同様であるため説明は省略する。
【００４９】
テレビ１０３から送信されたビーコンメッセージ（Ｍ９０１）が携帯電話１０１の無線ＬＡＮ制御部３０１で受信されると、ＴＣＰ／ＩＰ手順部３０２を介してクライアント制御部３０３に通知される。クライアント制御部３０３でビーコン信号ある事が検出されると（Ｓ１１０２：ＹＥＳ）、次にＳＳＩＤを解析し、ＮＦＣに関する情報が含まれているかを判定する。クライアント制御部３０３は”Ｐ２Ｐ  Ｐｏｌｌ  Ｄｖｉｃｅ（ａｃｔｉｖｅ  ｍｏｄｅ）”を解読し、携帯電話１０１の記憶エリアであるＲＡＭ２０４のＮＦＣ情報格納エリアに格納する。（Ｓ６０４）そして、クライアント制御部３０３は報知信号を送信した装置が対応可能な通信機能と設定されている通信モードとを識別する。ここでは、ＳＳＩＤには”Ｐ２Ｐ  Ｐｏｌｌ  Ｄｖｉｃｅ（ａｃｔｉｖｅ  ｍｏｄｅ）”の文字列が記載されており、携帯電話１０１はテレビ１０３が端末間通信機能に対応してポールデバイス（アクティブモード）で動作していることを認識する。そして、携帯電話１０１のクライアント制御部３０３は、取得した相手装置のＮＦＣ関連情に基づいて、自装置に設定されているＮＦＣに関するモードや設定が所望とするサービスを実行する上で適切かを判定する。そして、実行するサービスを行う上で自装置に設定されているモードや機能に変更が必要な場合は変更を行う。この場合、携帯電話１０１のクライアント制御部３０３は、相手装置がポールデバイスとして動作し、更にアクティブモードであるため、パッシブモードで起動中のＮＦＣ通信部２０８の通信モードは変更しないことを決定する。
【００５０】
また、携帯電話１０１のクライアント制御部３０３は、パッシブモードで起動中のＮＦＣ通信部２０８の通信モードを継続する指示をＮＦＣ情報を含む接続要求メッセージ（Ｍ４０３）としてＮＦＣ制御部３０５に送信する。
【００５１】
携帯電話１０１のクライアント制御部３０３は、ＮＦＣの確立タイマーを起動（Ｓ６０５）し、液晶表示部２１０を用いて携帯電話１０１のＮＦＣがレディー状態である事をユーザーに通知する。次にユーザーは、テレビ１０３との間でデータ伝送処理を実施するネットワークを構築するため、携帯電話１０１のＮＦＣアンテナ２０９とテレビ１０３のＮＦＣアンテナ２０９を数センチメートルの距離に近接させる。この時、テレビ１０３のＮＦＣ通信部２０８が、アクティブモードであることから、ＮＦＣポーリングメッセージ（Ｍ９０２）を携帯電話１０１のＮＦＣ通信部２０８に送信する。次に携帯電話１０１のＮＦＣ通信部２０８は、タイムアウト以前に（Ｓ６０６：ＮＯ）、ＮＦＣポーリングメッセージ（Ｍ９０２）を受信すると、ＮＦＣ応答メッセージ（Ｍ９０３）をテレビ１０３のＮＦＣ通信部２０８に返信する。
【００５２】
また、携帯電話１０１のＮＦＣ通信部２０８は、ＮＦＣの接続検出をＮＦＣアンテナ２０９とＮＦＣ制御部３０５を介してクライアント制御部３０３に通知し、（Ｓ６０７：ＹＥＳ）ＮＦＣ中状態へ遷移する。携帯電話１０１と同様に、テレビ１０３のＮＦＣ制御部３０５は、タイムアウト以前に（Ｓ５０６：ＮＯ）、ＮＦＣポーリング応答メッセージ（Ｍ９０３）を受信すると、ＮＦＣ中状態へ遷移する。次に、携帯電話１０１のＮＦＣ制御部３０５は、ＮＦＣが通信中状態に遷移した事を確認すると、接続要求メッセージ（Ｍ４０３）の応答として、接続応答メッセージ（Ｍ４０６）をクライアント制御部３０３に通知する。
【００５３】
また、無線ＬＡＮパラメータ要求メッセージは、テレビ１０３のＮＦＣ通信部２０８からのポーリングメッセージ（Ｍ９０４）の後に、ＮＦＣポーリング応答メッセージ（Ｍ９０５）のペイロードデータとして送信される。また、テレビ１０３から返信される無線ＬＡＮパラメータ応答メッセージは、テレビ１０３のＮＦＣ通信部２０８からのポーリングメッセージ（Ｍ９０６）のペイロードデータとして返信される。上記以外の携帯電話１０１のクライアント制御部３０３と通信アプリ部３０４の動作（Ｓ６０８〜Ｓ６１４）と、それに伴うメッセージＭ４０６，Ｍ４０７，Ｍ４１２〜Ｍ４１４については第１の実施例と同様である事から説明は省略する。
【００５４】
また、テレビ１０３のサーバー制御部３１３と通信アプリ部３１４の動作（Ｓ５０８〜Ｓ５１４）と、それに伴うメッセージＭ４０９，Ｍ４１０，Ｍ４１３、Ｍ４１４については第１の実施例と同様である事から説明は省略する。
【００５５】
以上、説明のように動作することで、予め相手デバイスのＮＦＣに関する通信機能や動作モードが、ＮＦＣのリンク確立前に判明するため、適切な動作モード等が選択することができる。また、ＷＬＡＮ通信方式において予め利用可能なＮＦＣの通信機能が判るため、自動的に該当するアプリケーションを起動することが可能となり、ユーザー操作が簡易になる。
【００５６】
なお、携帯電話１０１のクライアント制御部３０３でビーコンメッセージの検出後（１１０２：ＹＥＳ）、ＳＳＩＤ１３１２を解析した際に、自身のＮＦＣをパッシブモードのまま変更せずに継続するように説明した。これは、相手通信装置であるテレビ１０３のＮＦＣの動作モードがＬｉｓｓｅｎ  Ｄｅｖｉｃｅ（パッシブモード）と判断された場合、自身のパッシブモードをアクティブモードに変更するように構成してもよい。
【００５７】
（実施例３）
ＮＦＣの通信規格では、サービス毎に使用する規格が異なる。例えばタスポ（Ｔａｓｐｏ）カードのほか欧州の交通関係のカードサービスで使用されるＭＩＦＡＲＥ（ＩＳＯ  １４４４３  ＴｙｐｅＡ）規格や、Ｓｕｉｃａ、Ｅｄｙ、ＷＡＯＮ等のサービスで使用されるＦｅｌｉｃａ規格がある。
【００５８】
携帯電話やスマートフォンでは、上記のＮＦＣのサービスを利用するためにそれぞれの規格に対応したアプリケーションソフトをダウンロードしたり予めインストールされているソフトウェアを利用したりする。
【００５９】
実施例３では、機器同士を近接させる前に利用可能なＮＦＣの通信条件（通信機能、通信規格、サービス）を識別して、ユーザーの操作なしに所望のアプリケーションソフトが動作するよう制御する。実施例３は実施例１と同様のシステム構成を用いており、実施例１および実施例２と異なる点について説明を行う。
【００６０】
実施例３における  “ＮＦＣ関連情報”は、例えば、“ＣＥ  Ｆｅｌｉｃａ  Ｅｄｙ”というように通信規格、提供可能なサービスが識別可能な情報として含まれている。この例では、カメラ１０２は携帯電話１０１がカードエミュレーション機能に対応してＦｅｌｉｃａ規格のＥｄｙサービスが動作していることを認識する。そして、予め取得した相手機器のＮＦＣ関連情報に基づいて、自装置の通信機能と通信規格と起動するサービスと言った通信条件を決定することができる。例えば、カメラ１０２は携帯電話１０１がカードエミュレーション機能、Ｆｅｌｉｃａ規格、Ｅｄｙサービスに対応していることを認識する。そして、ＮＦＣ通信部２０８の通信機能をリーダー／ライター機能に設定する。次にＮＦＣ制御部３０５は、ＮＦＣ通信部２０８の通信規格をＦｅｌｉｃａに設定し、Ｅｄｙサービスのアプリケーションソフトを起動する（Ｓ６０４）。
【００６１】
以上のように動作することで、予め相手デバイスのＮＦＣに関する通信条件（通信機能、通信規格やサービス）が、ＮＦＣのリンク確立前に判明するため、適切なアプリケーションソフトが自動的に選択され、ユーザー操作が簡易になる。
【００６２】
また、無線ＬＡＮ通信により取得した相手装置のＮＦＣ情報として含まれる対応可能な通信機能に基づいて、自装置の通信機能を選択するように構成してよい。例えば、相手装置がＩＣカードの読み書きができるリーダー／ライター機能（Ｒ＆Ｗ）のみに対応していれば、自装置は、ＩＣカードとして利用できるカードエミュレーション機能（ＣＥ）を選択して通信を行うようにする。
【００６３】
また、無線ＬＡＮ通信により取得した相手装置のＮＦＣ情報として含まれる対応可能な通信規格に基づいて、自装置の通信規格を選択するように構成してよい。例えば、他の装置が、Ｆｅｌｉｃａ規格以外の、ＩＳＯ  １８０９２、ＩＳＯ  １４４４３  ＴｙｐｅＡ／ＴｙｐｅＢの何れの通信規格に対応しているかを判定する構成として良い。
【００６４】
また、無線ＬＡＮ通信により取得した相手装置のＮＦＣ情報として含まれる対応可能な通信規格に基づいて、自装置において実行するサービスを選択するように構成してよい。例えば、他の装置が、Ｅｄｙ以外の、ＴＡＳＰＯ、Ｓｕｉｃａ、ＰＡＳＭＯ、ＷＡＯＮ、その他のＩＣカードサービスの何れに対応しているかを判定する構成として良い。
【００６５】
（その他の実施例）
上述の実施例では、カメラ１０２および携帯電話１０１のクライアント制御部３０３で無線ＬＡＮメッセージの受信検出後（Ｓ６０３／Ｓ１１０２）、ＳＳＩＤ１３１０を解析した際に、自身のＮＦＣの通信モードを制御するように説明されていた。これは、相手通信装置のＮＦＣが起動されていない、もしくはＮＦＣ機能が実装されていないと判断された場合、自身のＮＦＣを停止するように構成してもよい。
【００６６】
また、カメラ１０２および携帯電話１０１のクライアント制御部３０３では、ＮＦＣ詳細情報を含む無線ＬＡＮメッセージを最初に返信した接続先、もしくは最初に受信した接続先との間で所定の動作を実施するように説明されていた。これは、ＮＦＣ情報を含む応答メッセージを複数の通信装置から受信した場合クライアント制御部３０３が、受信した受信信号の電界強度測定した結果に基づいて接続する（対応するモードを決定する）通信装置を特定するように構成してよい。または無線ＬＡＮ通信のＭＡＣアドレス等の装置の識別子を基に接続する（対応するモードを決定する）通信装置を特定するように構成してよい。
【００６７】
また、複数の通信装置から応答メッセージまたはビーコンを受信した場合、１台でもパッシブモードの端末が存在する場合、クライアント制御部３０３は自身をアクティブモードで起動するように構成されても本発明の実施例は同様に実現される。
【００６８】
また、複数の機能がサポート可能なことをＮＦＣ情報として含めてよい。例えば“Ｐ２Ｐ  ＣＥ  Ｒ／Ｗ  Ａｃｔｉｖｅ”のように該当する文字列をＮＦＣ詳細情報として列挙するように構成されてよい。
【００６９】
またＮＦＣの確立を確認した後、ＮＦＣポーリング／応答メッセージの送受信を繰り返し、ＷＬＡＮパラメータ情報を取得するように構成して良い。例えば、この場合のＷＬＡＮパラメータ情報は、携帯電話１０１のＮＦＣ制御部３１５が、自装置内の記憶領域部２０４から読み出し、逐次、ＮＦＣポーリング応答メッセージに含めてカメラ１０２のＮＦＣ通信部２０８に送信する。カメラ１０２のＮＦＣ制御部３０５は、ＮＦＣ通信部２０８で受信したＮＦＣポーリング応答メッセージに含まれる無線パラメータ情報を、自装置内のＲＡＭ２０４に格納する。
【００７０】
また、実施例では、無線ＬＡＮメッセージの受信検出後（Ｓ６０３／Ｓ１１０２）、ＳＳＩＤ１３１０を解析した際に、ＮＦＣの通信条件として通信機能、通信規格、サービスの３つを判定するように説明されていた。これは、ＮＦＣのサービスから使用される通信規格が一意に決定されることから、通信規格を除く通信機能とサービスの２つの条件で判定するように構成しても良い。
【００７１】
また、複数の機能がサポート可能なことをＮＦＣ情報として含めてよい。例えば“Ｐ２Ｐ  ＣＥ  Ｒ／Ｗ  ＡｃｔｉｖｅＥｄｙ  Ｐａｓｍｏ  Ｓｕｉｃａ”のように該当する文字列をＮＦＣ詳細情報として列挙するように構成されてよい。
【００７２】
また、無線ＬＡＮ通信による相手装置がカードエミュレーション機能で動作している判断した場合に、自装置の通信モードとしてアクティブモードを選択するようにしてよい。
また、無線ＬＡＮ通信による相手装置がリーダー／ライター機能で動作している判断した場合に、自装置の通信モードにパッシブモードを選択するようにしてよい。
【００７３】
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７４】
２０１  無線ＬＡＮアンテナ
２０２  無線ＬＡＮ通信部
２０３  ＲＯＭ
２０４  ＲＡＭ
２０５  制御部
２０６  表示制御部
２０７  キー入力部
２０８  ＮＦＣ通信部
２０９  ＮＦＣアンテナ部
２１０  液晶表示部
【図１】
2013179582.tif 000003
【図２】
2013179582.tif 000004
【図３】
2013179582.tif 000005
【図４】
2013179582.tif 000006
【図５】
2013179582.tif 000007
【図６】
2013179582.tif 000008
【図７】
2013179582.tif 000009
【図８】
2013179582.tif 000010
【図９】
2013179582.tif 000011
【図１０】
2013179582.tif 000012
【図１１】
2013179582.tif 000013
【図１２】
2013179582.tif 000014
【図１３】
2013179582.tif 000015